(57)【要約】      （修正有）【課題】貼着作業が容易であり、且つ水分や寒暖差等の屋外環境下においても、剥離、歪み、及びズレ等が生じず、耐久性が高く、長期間に亘って継続的に装飾効果を発揮しうる自動販売機を提供する。【解決手段】販売商品及び機械装置を収納する筐体本体部１１を有する自動販売機１０であって、上記筐体本体部の外装パネル１２の外側面部には、紫外線照射によって硬化する樹脂層を介して、レンチキュラーレンズ１４が貼着された構成とする。【選択図】図１
0003167968.tif 000002
【実用新案登録請求の範囲】
【請求項１】
販売商品、及び機械装置を収納する、筐体本体部を有する自動販売機であって、
上記筐体本体部の外装パネルの外側面部には、紫外線照射によって硬化する樹脂層を介して、レンチキュラーレンズが貼着されていることを特徴とする自動販売機。
【請求項２】
上記レンチキュラーレンズは、上記筐体本体部の外側面部の略全域に貼設されていることを特徴とする請求項１記載の自動販売機。
【請求項３】
上記樹脂層は、液状のアクリル系樹脂を含有するベース樹脂と、光によってラジカルを発生しうる光重合開始剤とからなることを特徴とする請求項１または請求項２に記載の自動販売機。
【請求項４】
上記レンチキュラーレンズは、合成樹脂のシート材と、上記シート材の表面に複数本並列して配置された略半円柱形の凸レンズとから形成され、上記レンチキュラーレンズの厚さ寸法は０．２５ｍｍ乃至０．６５ｍｍの範囲に形成されていることを特徴とする請求項１から請求項３いずれか１項に記載の自動販売機。
【考案の詳細な説明】
【技術分野】
【０００１】
本考案は、筐体本体部の外装パネルに装飾が施された自動販売機に関する。
【背景技術】
【０００２】
我が国の自動販売機の設置数は世界でも有数のレベルにあり、飲料、食品の他、書籍、衣料などに至るまで様々な製品の販売するものがある。
特に飲料用の自動販売機は、その設置台数も多く、複数の飲料メーカーの自動販売機が、複数台まとまって設置されていることも多い。
【０００３】
商品が飲料の場合、ペットボトルや缶の形状、及びデザインは、同一種類の商品間においては、類似していることが多い。
従って、上記のように、複数の飲料メーカーの自動販売機が複数台まとまって設置されている場合、特定の購入商品を決めていない購入予定者が、何れの自動販売機を選択するかは、個々の商品のラベル等のデザインよりも、自動販売機自体の、視覚的なインパクトにより決定されることが多い。
即ち、外観が目立つ自動販売機に対しては、自然と視線が移ることから、購入する商品も、当該自動販売機から選択される可能性が高くなる。
【０００４】
従って、自動販売機の筐体本体部の外装パネルに施される装飾は、商品の売れ行きを決定する上で、重要な要素である。
【０００５】
しかしながら、一般的な自動販売機の場合、上記外装パネルへの装飾は、商品ロゴ、メーカー名、若しくはコマーシャルタレントのポスター写真等を貼付する方法が多く、特段の目新しさは感じられない。
従って、複数の自動販売機の中から、当該自動販売機を選択してもらうために、決定的なインパクトを与えるものにはならなかった。
【０００６】
ディスプレイ顕示効果が高い自動販売機として、合成画像の表面に微小円柱レンズを組み合わせたレンチキュラーレンズを貼着して形成された、顕著なディスプレイ効果を有する立体画像を、ディスプレイ部または商品選択部に貼設したものが提案されている（特許文献１）。
【０００７】
自動販売機は屋外に設置されることが多いことから、風雨にさらされると共に、寒暖差が大きな環境下おかれる。
また、通常の紙製ポスターを貼付する場合よりも、樹脂製シートであるレンチキュラーレンズは、貼設作業が煩雑となる。
また、レンチキュラーレンズを貼設するための接着剤には、湿気や温度差等に対する高い耐久性が要求される。
【０００８】
塗布してから乾燥固化するまでに時間を要する接着剤の場合、レンチキュラーレンズの貼着作業に時間を要すると共に、乾燥までの過程で、接着剤の体積が変化して、レンチキュラーレンズに歪みやずれが生じる虞があるという不具合を有していた。
上記特許文献１に係る発明においては、レンチキュラーレンズを貼着するための接着剤に関しては、何ら開示されていないことから、上記不具合を解決することはできなかった。
【特許文献１】実登２５８９８１８号公報
【考案の開示】
【考案が解決しようとする課題】
【０００９】
本考案の解決する課題は、貼着作業が容易であり、且つ湿気や寒暖差等の屋外環境下においても、剥離、歪み、及びズレ等が生じず、耐久性が高く、長期間に亘って継続的に装飾効果を発揮しうる自動販売機を提供することにある。
【課題を解決するための手段】
【００１０】
上記課題を解決するために、請求項１に記載した考案に係る自動販売機は、販売商品及び機械装置を収納する筐体本体部を有する自動販売機であって、
上記筐体本体部の外装パネルの外側面部には、紫外線照射によって硬化する樹脂層を介して、レンチキュラーレンズが貼着されていることを特徴とする。
【００１１】
紫外線照射によって硬化する樹脂は、紫外線照射によって短時間で硬化するため、乾燥作業等が不要である。
また、紫外線硬化樹脂は、湿気、及び温度に対する耐久性が高いため、長期間において、貼着状態が強固に保持される。
【００１２】
また、請求項２に記載した考案に係る自動販売機は、上記レンチキュラーレンズは、上記筐体本体部の略全域に貼設されていることを特徴とする。
従って、自動販売機の筐体本体部の外画面部全体が、装飾部となり得る。
【００１３】
また、請求項３に記載した考案に係る自動販売機は、上記樹脂層は、液状のアクリル系樹脂を含有するベース樹脂と、光によってラジカルを発生しうる光重合開始剤とからなることを特徴とする。
【００１４】
光重合開始剤とは、紫外線照射によって、フリーラジカル（遊離基）となり、ベース樹脂である、アクリル系樹脂の二重結合部分を攻撃し、アクリル系樹脂分子にフリーラジカルを発生させる。
これにより、フリーラジカルとなったアクリル系樹脂の分子が連続的に隣接する分子を攻撃し、順次ラジカルを発生させ、多数の分子が結合する重合反応を起こす。
重合反応の停止は、ラジカル化した上記光重合開始剤と、ラジカル化したアクリル系樹脂のフリーラジカルが結合することによる。
【００１５】
上記反応は数秒から数十秒で完了するため、非常に短い時間で強固に接着が可能であると共に、硬化後の樹脂は、水分により重合反応が開始される瞬間接着剤と比較して、耐湿性、耐熱性が高く、紫外線を照射しない限りは硬化しない。
【００１６】
また、請求項４に記載した考案に係る自動販売機は、上記レンチキュラーレンズは、合成樹脂のシート材と、上記シート材の表面に複数本並列して配置された略半円柱形の凸レンズとから形成され、記レンチキュラーレンズの厚さ寸法は０．２５ｍｍ乃至０．６５ｍｍの範囲に形成されていることを特徴とする。
【００１７】
従来のレンチキュラーレンズと比較して、厚さ寸法が小さいことから、上記レンチキュラーレンズを貼着した状態であっても、自動販売機の外観形状にはほとんど影響を与えない。
【考案の効果】
【００１８】
請求項１の考案にあっては、販売商品及び機械装置を収納する筐体本体部を有する自動販売機であって、上記筐体本体部の外装パネルの外側面部には、紫外線照射によって硬化する樹脂層を介して、レンチキュラーレンズが貼着されていることから、貼着作業が容易であり、且つ湿気や寒暖差等の屋外環境下においても、剥離、歪み、及びズレ等が生じず、耐久性が高く、長期間に亘って継続的に装飾効果を発揮しうる自動販売機を提供することができる。
【００１９】
また、請求項２の考案にあっては、上記レンチキュラーレンズは、上記筐体本体部の略全域に貼設されていることから、自動販売機の筐体本体部の外画面部全体が、装飾部となり得るため、装飾性がより向上する。
【００２０】
また、請求項３の考案にあっては、上記樹脂層は、液状のアクリル系樹脂を含有するベース樹脂と、光によってラジカルを発生しうる光重合開始剤とからなることから、硬化反応の開始、及び終了を自由にコントロールすることができるため、貼着作業をより効率的に行うことができる。
【００２１】
また、請求項４の考案にあっては、上記レンチキュラーレンズは、合成樹脂のシート材と、上記シート材の表面に複数本並列して配置された略半円柱形の凸レンズとから形成され、上記レンチキュラーレンズの全体の厚さ寸法は０．２５ｍｍ乃至０．６５ｍｍの範囲に形成されていることから、従来流通しているレンチキュラーレンズと比較して、厚さ寸法が小さい為、自動販売機への貼着作業が行い易く、自動販売機の外形形状はそのままで、立体的で斬新な装飾を行うことができる。
【図面の簡単な説明】
【００２２】
【図１】本考案の実施例に自動販売機の一実施の形態であって、（ａ）は筐体本体部の外側面部略全域にレンチキュラーレンズを貼着した状態を示す斜視図（ｂ）は、レンチキュラーレンズの貼着部分の高さ方向（Ａ−Ａ線）拡大断面図、（ｃ）は、レンチキュラーレンズの貼着部分の奥行き方向（Ｂ−Ｂ線）拡大断面図である。
【図２】本実施例において貼着するレンチキュラーレンズの拡大断面図である。
【考案を実施するための最良の形態】
【００２３】
本考案を実施するための形態について、添付図面を用いて説明する。
図１（ａ）に示すように、本実施例に係る自動販売機１０は、販売商品及び機械装置を収納する筐体本体部１１を有し、上記筐体本体部１１の外装パネル１２の外側面部には、図１（ｂ）に示すように紫外線照射によって硬化する樹脂層１３を介して、レンチキュラーレンズ１４が貼着されている。
図１（ａ）に示すように、上記レンチキュラーレンズ１４は、上記筐体本体部１１の外側面部の略全域に貼設されている。
また、上記樹脂層１３は、液状のアクリル系樹脂からなるベース樹脂（図示せず）と、光によってラジカル（遊離基）を発生しうる光重合開始剤とからなると共に、上記レンチキュラーレンズ１４は、合成樹脂のシート材１５と、上記シート材１５の表面に複数本並列して配置された略半円柱形の凸レンズ１６とから形成され、上記レンチキュラーレンズの全体の厚さ寸法は０．２５ｍｍ乃至０．６５ｍｍの範囲に形成され、上記凸レンズは６２ＬＰＩから１３３ＬＰＩの範囲の密度で配設されている。
【実施例１】
【００２４】
上記形態の実施例の構成について説明する。
図１（ａ）は本実施例に示す自動販売機の全体斜視図を示している。
図１（ａ）に示すように、本実施例に係る自動販売機１０の筐体本体部１１は、全体直方体に形成されている。
上記筐体本体部１１の前面パネル１２ａの上側半部には、上記筐体本体分１１の内部に設けられ、販売商品サンプル１７を陳列するサンプル陳列部１８を透視しうる窓部１９が形成され、また上記前面パネル１２ａにおいて、サンプル陳列部１８の下方には、硬貨投入口２０、紙幣挿入部２１、及び返却レバー２２が配設されている。
また、上記前面パネル１２ａの下端部には、購入した商品を取り出す商品取り出し口２３が形成されている。
【００２５】
本実施例においては、レンチキュラーレンズ１４は、上記筐体本体部１１において、一対の側方パネル１２ｂ、１２ｃ、窓部１９、サンプル陳列部１８、硬貨投入口２０、紙幣挿入部２１、及び返却レバー２２以外の部分に貼設され、図１（ｂ）及び（ｃ）に示すように、紫外線照射によって硬化したアクリル系樹脂からなる樹脂層１３を介し、上記筐体本体部１１の前面パネル１２ａ、側方パネル１２ｂ、１２ｃに貼設されている。
【００２６】
また、図２は、本実施例に係る自動販売機１０（図２には図示せず）に貼設されるレンチキュラーレンズ１４の断面図である。
図２に示すように、レンチキュラーレンズ１４は、透明な合成樹脂製のシート材１５の一方面部に、半円柱形の凸レンズ１６を多数並列することにより形成され、上記シート材１５の他方面部には、所定の図絵２４が配置されている。
また、凸レンズ１６及びシート材１５をあわせた上記レンチキュラーレンズ１４の厚さ寸法は０．２５ｍｍ乃至０．６５ｍｍの範囲に形成されている。
【００２７】
図２に示すように、上記凸レンズ１６の光の屈折作用により、視認位置の移動に伴って、視認可能な図絵２４の内容が切り替わる、所謂チェンジング作用、若しくは、左右の目の視角差を利用して、左右の目に別の図絵２４を視認させることにより、図絵２４が立体的に突出して視認される所謂３Ｄ作用が生じる。
３Ｄ作用を利用する場合は、図１（ａ）に示すように、半円柱形の凸レンズ１６を、自動販売機１０の高さ方向に沿って配設する。
また、チェンジング効果を得る場合には、上記凸レンズを自動販売機１０の高さ方向、奥行き方向、若しくは幅方向の何れに方向に配置しても良く、チェンジング効果は、凸レンズ１６の配置方向と直交する方向に視線を動作させた場合に発揮される。
【００２８】
レンチキュラーレンズ１４を外装パネル１２に装着する場合には、液体のアクリル系樹脂と光重合開始剤を全面に塗布し、貼着位置を決定後、数秒から数十秒の所定時間、紫外線ランプによって紫外線を照射する。
紫外線照射により光重合開始剤がラジカル化し、ラジカル化した光重合開始剤によって、上記アクリル系樹脂が重合して硬化する。
従って、硬化過程において、加熱、乾燥等の工程は不要であり、精密機器である自動販売機１０に対して、ダメージを与える虞がなく、安全に貼着作業を行うことができる。
なお、レンチキュラーレンズ１４の外側から紫外線を照射するため、レンチキュラーレンズ１４のシート材１５及び凸レンズ１６は、夫々紫外線を透過しうる素材である必要がある。
【００２９】
また、紫外線照射によって硬化したアクリル系樹脂からなる樹脂層１３は、熱や湿気に対する耐性が高く、自動販売機１０が屋外に設置された場合であっても、長期間に亘って剥離やズレが生じることが無い。
【００３０】
本実施例に示すように、ロゴマークや模様、および風景等が浮き上がって視認できることから、ポスター貼付、若しくは直接の描画等と比較して、より人目を引き易い、斬新な装飾効果が、長期間に亘って継続するため、自動販売機の売り上げに大きく貢献することが可能である。
【００３１】
なお、本実施例の自動販売機の構成は、一例であり、サンプル陳列部、紙幣挿入部、コイン挿入部、返却レバー等の形状、及び大きさ寸法は、本考案の構成の範囲であれば、販売商品の種類、自動販売機の筐体本体部の形状、大きさ寸法等によって適宜変更することができる。
また、紫外線硬化樹脂の種類についても、アクリル系樹脂に限定する必要は無く、同様の作用を有する素材であれば適宜利用することができる。
【産業上の利用可能性】
【００３２】
本考案は、筐体本体部の外装パネルに装飾が施された自動販売機に適用可能である。
【符号の説明】
【００３３】
１０  自動販売機
１１  筐体本体部
１２  外装パネル
１２ａ前面パネル
１２ｂ側面パネル
１２ｃ側面パネル
１３  樹脂層
１４  レンチキュラーレンズ
１５  シート材
１６  凸レンズ
１７  販売商品サンプル
１８  サンプル陳列部
１９  窓部
２０  硬貨投入口
２１  紙幣挿入部
２２  返却レバー
２３  商品取り出し口
２４  図絵
Ｍ  レンチキュラーレンズの厚さ寸法
【図１】
0003167968.tif 000003
【図２】
0003167968.tif 000004